(57)【要約】【課題】  加熱されることによって遠赤外線を放射する遠赤外線放射体１１ａと、遠赤外線放射体１１ａを加熱する熱源１１ｂとを備えた遠赤外線放射機１において、照射対象部に遠赤外線を照射する際の照射効率を向上させた遠赤外線放射機を提供すること。【解決手段】  遠赤外線放射体１１ａから放射される遠赤外線を反射できる反射層１３ｂを備え且つ遠赤外線放射体１１ａから本体１０の外方へ延びる照射ダクト１３を具備し、照射ダクト１３は、少なくとも一部に蛇腹状構造を有すること。【選択図】  図２
2005273947.tif 000002
【特許請求の範囲】
【請求項１】
加熱されることによって遠赤外線を放射する遠赤外線放射体と、前記遠赤外線放射体を加熱する熱源とを備えた遠赤外線放射機において、
前記遠赤外線放射体から放射される遠赤外線を反射できる反射層を備え且つ前記遠赤外線放射体から本体の外方へ延びる照射ダクトを具備し、
前記照射ダクトは、少なくとも一部に蛇腹状構造を有する、遠赤外線放射機。
【請求項２】
請求項１に記載の遠赤外線放射機において、
前記照射ダクトは、照射ダクト内の熱が外周面へ伝わるのを防止できる断熱層を備えた、遠赤外線放射機。
【発明の詳細な説明】
【技術分野】
【０００１】
本発明は、遠赤外線を放射させる遠赤外線放射機に関するものである。
【背景技術】
【０００２】
室内暖房や医療用等として使用される従来の遠赤外線放射機において、遠赤外線
を放射させる放射部は、広範囲に遠赤外線を放射させるべく、本体の外側に露出した状態で設けられている（例えば、特許文献１参照）。
図４（ａ）は、この種の遠赤外線放射機を示す斜視図であり、図４（ｂ）はその正面部に設けられた遠赤外線放射ユニット近傍の縦断面図である。
図４（ａ）に示すように、遠赤外線放射機９は、遠赤外線を放射させる遠赤外線放射ユニット９１と、遠赤外線放射ユニット９１の運転動作を制御する制御部Ｃと、電源スイッチや温度調節キー等を有し且つ制御部Ｃと電気的に接続される操作部９２とを備えており、遠赤外線放射ユニット９１は、後述する放射体９１ａが本体９０の外面に露出した位置に設けられている。
【０００３】
遠赤外線放射ユニット９１は、図４（ｂ）に示すように、加熱されることによって遠赤外線を放射する放射体９１ａと、制御部Ｃから供給される電力によって発熱する発熱体９１ｂと、放射体９１ａから放射される遠赤外線を反射する反射体９１ｃと、発熱体９１ｂの熱が本体９０の内部へ伝わるのを防止する断熱体９１ｄとを備えており、発熱体９１ｂは制御部Ｃと電気的に接続されている。
そして、操作部９２の電源スイッチ（図示しない）をオンにすると、発熱体９１ｂが発熱して放射体９１ａを加熱し、加熱された放射体９１ａから遠赤外線が放射される。このとき、遠赤外線放射ユニット９１の放射体９１ａが本体９０の外面に露出した位置に設けられているから、遠赤外線放射機９の前方の広範囲に遠赤外線を拡散させることができる。
【特許文献１】特開２００３−９７８１１号公報（第１−６頁、第１−６図）
【特許文献２】特開２００３−５１３６８号公報（第１−６頁、第１図）
【発明の開示】
【発明が解決しようとする課題】
【０００４】
しかしながら、上記従来の遠赤外線放射機では、図４（ｂ）に示すように、放射体９１ａから放射される遠赤外線は、照射対象部Ｐ以外の範囲にも拡散されるから、照射効率が悪い。
本発明は係る点に鑑みてなされたもので、
『加熱されることによって遠赤外線を放射する遠赤外線放射体と、前記遠赤外線放射体を加熱する熱源とを備えた遠赤外線放射機』において、照射対象部に遠赤外線を照射する際の照射効率を向上させた遠赤外線放射機を提供することをその課題とする。
【課題を解決するための手段】
【０００５】
上記課題を解決するための本発明の技術的手段は、
『前記遠赤外線放射体から放射される遠赤外線を反射できる反射層を備え且つ前記遠赤外線放射体から本体の外方へ延びる照射ダクトを具備し、
前記照射ダクトは、少なくとも一部に蛇腹状構造を有する』ことである。
上記技術手段によれば、遠赤外線放射機には、遠赤外線を反射できる反射層を備え且つ赤外線放射体から本体の外方へ延びる照射ダクトが設けられているから、遠赤外線を一方向へ放射させることができる。即ち、照射対象部に対して集中的に遠赤外線を照射することができる。
また、上記照射ダクトは、少なくとも一部に蛇腹構造を有するから、照射対象部の方向に合わせて自在に屈曲させて使用することができる。
【０００６】
請求項２に係る発明の技術的手段は、
前記請求項１において、
『前記照射ダクトは、照射ダクト内の熱が外周面へ伝わるのを防止できる断熱層を備えた』ことである。
このものでは、前記照射ダクトには、照射ダクト内の熱が外周面へ伝わるのを防止できる断熱層が設けられているから、熱源から発生する熱によって高温となる照射ダクト内側の熱が照射ダクト表面から放出されるのを防止することができる。
【発明の効果】
【０００７】
本発明は、上記構成であるから次の特有の効果を有する。
遠赤外線を照射対象部に対して集中的に照射することができるから、照射効率が向上する。また、照射ダクトを照射対象部の方向に合わせて自在に屈曲させて使用することができるから、利便性が良い。
請求項２に係る発明では、上記効果に加えて、熱源から発生する熱によって高温となる照射ダクト内側の熱が照射ダクト表面から放出されるのを防止することができるから、使用者に対する安全性が向上する。
【発明を実施するための最良の形態】
【０００８】
次に、上記した本発明を実施するための最良の形態について、添付図面を参照しながら詳述する。
図１は、本発明の実施の形態に係る遠赤外線放射機の斜視図であり、図２は、本発明の実施の形態に係る遠赤外線放射機の縦断面概略図である。尚、この遠赤外線放射機は、室内外の様々な場所で使用することができ、室外では、例えば、農作業で使用される耕運機の作業者の足元付近に取り付けて使用することができる。
【０００９】
図１に示すように、遠赤外線放射機１は、遠赤外線を放射させる遠赤外線放射ユニット１１と、遠赤外線放射ユニット１１の運転動作を制御する制御部Ｃと、電源スイッチＳ１や温度調節キーＳ２等を有し且つ制御部Ｃと電気的に接続される操作部１２と、遠赤外線放射機１の本体１０の正面から前方へ延びる蛇腹管状の照射ダクト１３と、照射ダクト１３を収容できる筒状の収容部１４が設けられている。
【００１０】
遠赤外線放射ユニット１１は、図２に示すように、加熱されることによって遠赤外線を放射する放射体１１ａと、制御部Ｃから供給される電力によって発熱する発熱体１１ｂと、放射体１１ａから放射される遠赤外線を反射できる反射体１１ｃと、発熱体１１ｂの熱が本体１０の内部へ伝わるのを防止できる断熱体１１ｄとを積層させて板状に形成したものであり、前記放射体１１ａが本体１０の正面部に形成された連結口１００に臨む位置に設けられている。また、前記発熱体１１ｂは制御部Ｃと電気的に接続されている。
収容部１４は、前記連結口１００の外周を囲うように設けられており、照射ダクト１３の一端が接続され且つ連結口１００と連通する接続口１４０を備えている。収容部１４の端部１４１は、後述する照射ダクト１３一端の外周部１３１を着脱自在に連結させることができる。
【００１１】
照射ダクト１３は、可とう性材料で蛇腹状に形成された管体１３ａの内周面に、遠赤外線を反射できる反射層１３ｂを設け、外周面には照射ダクト１３内の熱がその外周面へ伝わるのを防止できる断熱層１３ｃを設けたものであり、自在に伸縮および屈曲させることができる。該照射ダクト１３の一端側は収容部１４の接続口１４０に連結されており、本体１０の連結口１００と連通している。また、照射ダクト１３の他端側は開放されており、放射体１１ａから放射される遠赤外線は、該開口部（以下、「放射口１３０」という）から放射される。放射口１３０の外周部１３１は、収容部１４の端部１４１に着脱自在に連結させることができ、該外周部１３１と端部１４１とを連結させることによって、照射ダクト１３が収容部１４へ収容される。
反射層１３ｂは、例えば、アルミニウム箔のような遠赤外線反射素材で形成されており、管体１３ａの内周面に被着されている。断熱層１３ｃは、例えば、発泡ウレタンやフェルトのような断熱材で形成されており、管体１３ａの外周面に被着されている。
【００１２】
［遠赤外線放射機１の使用の実際］
このものでは、操作部１２の電源スイッチＳ１をオンにすると、制御部Ｃから遠赤外線放射ユニット１１の発熱体１１ｂへ電力が供給され、発熱体１１ｂを発熱させる。すると、この発熱体１１ｂから放出される熱によって加熱された放射体１１ａから遠赤外線が放射される。このとき、放射体１１ａは本体１０の正面部に形成された連結口１００に臨む位置に設けられており、放射体１１ａから放射された遠赤外線は、連結口１００から遠赤外線放射機１の前方へ放射されるが、連結口１００は、内周面に遠赤外線を反射できる反射層１３ｂを備えた照射ダクト１３に連通しているから、遠赤外線放射機１の前方の広範囲には拡散されずに、照射ダクト１３の内周面で反射しながら放射口１３０の方向へ導かれ、放射口１３０から放射される。即ち、放射口１３０の向かっている一方向へ集中的に放射される。
【００１３】
これにより、遠赤外線を照射対象部Ｐに対して集中的に照射することができるから、遠赤外線を広範囲に拡散させて使用するものに比べて照射効率が良い。
また、照射ダクト１３は、自在に伸縮および屈曲させることができる蛇腹構造を備えたものであるから、放射口１３０の向きを照射対象部Ｐの方向に合わせて自在に変えることができる。
一方、照射ダクト１３の内部は、発熱体１１ｂから発生する熱の輻射や対流によって高温となるが、照射ダクト１３の外周面には断熱層１３ｃが設けられているから、照射ダクト１３内の熱が外周面へ放出されるのを防止することができ、使用者に対する安全性が向上する。
【００１４】
［その他］
尚、上記実施形態において、遠赤外線放射ユニット１１は、放射体１１ａと発熱体１１ｂと反射体１１ｃと断熱体１１ｄとを積層させて板状に形成したものを説明したが、遠赤外線放射ランプを採用したものであっても良い。図３（ａ）に示すように、発熱体１１ｂは、表面の一部に遠赤外線放射性セラミックである放射体１１ａを塗布した電球型の遠赤外線放射ランプであり、通電させることによって放射体１１ａから遠赤外線を放射させる。反射体１１ｃは略半球面状に形成されており、放射体１１ａから放射される遠赤外線を照射ダクト１３方向へ反射させるべく、発熱体１１ｂの後部に配置されている。断熱体１１ｄは、反射体１１ｃと同様に略半球面状に形成されており、反射体１１ｃの本体１０側を覆っている。
また、断熱層１３ｃは、発泡ウレタンやフェルト等の断熱材を管体１３ａの外周面に被着させたものを説明したが、管体１３ａの外周面に起毛を設けたものであっても良いし、図３（ｂ）に示すように、管体１３ａの外周面にカバー１３ｄを外嵌させて空間を形成し、該空間に空気や液体等の媒体を充填または循環させるようにしたものであっても良い。
【図面の簡単な説明】
【００１５】
【図１】本発明の実施の形態に係る遠赤外線放射機１の斜視図
【図２】本発明の実施の形態に係る遠赤外線放射機１の縦断面概略図
【図３】本発明のその他の実施形態の説明図
【図４】従来の遠赤外線放射機９の斜視図および遠赤外線放射ユニット９１近傍の縦断面概略図
【符号の説明】
【００１６】
１・・・遠赤外線放射機
１０・・・本体
１１ａ・・・遠赤外線放射体
１１ｂ・・・熱源
１３・・・照射ダクト
１３ｂ・・・反射層
【図１】
2005273947.tif 000003
【図２】
2005273947.tif 000004
【図３】
2005273947.tif 000005
【図４】
2005273947.tif 000006